(57)【特許請求の範囲】
【請求項１】
上部に使い捨てコップ収納口、中央に使い捨てコップ収納部、下部に使い捨てコップ保持口を有する両側縁が溶断されたプラスチックフィルムの筒体からなる使い捨てコップ収納供給袋であって、使い捨てコップ保持口の両側縁において筒体を形成する２枚のフィルムが溶着され、かつ使い捨てコップ保持口の両側縁の２枚のフィルムの溶着部の筒体の内側が波線状であり、使い捨てコップ保持口の内周の狭い部分と広い部分が連続的に交互に形成されてなることを特徴とする使い捨てコップ収納供給袋。
【請求項２】
使い捨てコップ保持口の長さが、収納される使い捨てコップの高さの０.１〜０.９倍である請求項１記載の使い捨てコップ収納供給袋。
【請求項３】
使い捨てコップ保持口の狭い部分の内周が、収納される使い捨てコップの開口部リブの外周の−８〜＋３ｍｍの範囲にあり、使い捨てコップ保持口の広い部分の内周が、収納される使い捨てコップの開口部リブの外周の＋４〜＋１０ｍｍの範囲にある請求項１記載の使い捨てコップ収納供給袋。
【請求項４】
使い捨てコップ収納部の内周が、収納される使い捨てコップの開口部リブの外周の＋４〜＋５０ｍｍの範囲にある請求項１記載の使い捨てコップ収納供給袋。
【請求項５】
プラスチックフィルムが、ポリオレフィンフィルムである請求項１記載の使い捨てコップ収納供給袋。
【請求項６】
使い捨てコップ保持口の下縁が封じられ、該下縁に平行な保持口開口用のミシン目を有する請求項１記載の使い捨てコップ収納供給袋。
【請求項７】
使い捨てコップ保持口の下縁にガゼット折りを有する請求項６記載の使い捨てコップ収納供給袋。
【請求項８】
筒体上部に、筒体に延設された舌片フィルムと、該舌片フィルムを固着する粘着剤層からなる使い捨てコップ収納口閉鎖手段を有する請求項１記載の使い捨てコップ収納供給袋。
【請求項９】
筒体最上部にヘッダーを有する請求項１記載の使い捨てコップ収納供給袋。
【請求項１０】
使い捨てコップ収納口が密封されてなる請求項１記載の使い捨てコップ収納供給袋。
【請求項１１】
プラスチックフィルムの筒体に、微細通気孔を有する請求項１０記載の使い捨てコップ収納供給袋。
【発明の詳細な説明】
【技術分野】
【０００１】
本発明は、使い捨てコップ収納供給袋に関する。さらに詳しくは、本発明は、使い捨てコップの製造工場から使用の現場まで、使い捨てコップが外部から汚染されることがなく、衛生的に取り扱うことができ、使い捨てコップの使用の現場において、使い捨てコップを１個ずつ確実に取り出すことができる使い捨てコップ収納供給袋に関する。
【背景技術】
【０００２】
開口部が底部よりも大きい円錐台形の使い捨てコップが、紙又はプラスチックを原材料として製造されている。紙コップは、安価、軽量で取り扱いやすく、使用後は古紙資源としてリサイクルすることができ、廃棄物として焼却しても有害物質を発生しないので、オフィス、病院、試飲会場、展示会場などで広く使われている。図７は、紙コップの一例の一部切り欠き斜視図である。この例の紙コップは、サイドシール１７が形成された胴材１８と底材１９からなり、胴材と底材が接着され、開口部において胴材がトップカールされて開口部リブ２０が形成されている。紙コップを積み重ねると、紙コップの底縁２１が底材の上に載るので、胴材どうしの間には隙間ができ、胴材間の摩擦抵抗は生じない。このために、紙コップを多数個積層して、金属製、プラスチック製などの収納供給装置に収納し、下から１個ずつ取り出して使用することが行われている。
図８は、紙コップ収納供給装置の保持口の一例の断面図である。この例の紙コップ収納供給装置は、紙コップ２２を収納する筒体２３の内面の下端縁に、断面が三角形状の止めリング２４が設けられている。紙コップ１個を手でつかんで引き抜くとき、紙コップの開口部が収縮するように押し付けられるので、紙コップを取り出すときの抵抗が大きく、紙コップを取り出しづらいばかりでなく、紙コップが２〜３個まとまって出てしまう場合がある。このために、紙コップが取り出しやすく、紙コップを安定して１個ずつ取り出すことができる紙コップ収納供給装置が検討されている。
例えば、紙コップ、合成樹脂コップなどの出荷用包装袋に内部からコップを１個ずつ取り出せる効果を持たせる方法として、柔軟な素材からなる袋の一端の一部分の直径をコップの最大外径以下にし、袋の素材の弾力性を利用するコップの包装袋に重なり離脱効果を持たせる方法が提案されている（特許文献１）。図９は、この方法の一例の説明図である。袋２５の両側だけを部分的にヒートシールした部分接着部２６により係止口が形成され、コップが最大外径部分２７で係止される。最下端のコップを手で下に引っ張ると、袋の素材の弾力性により係止口の円周が広がり、最下端のコップだけを抜き取ることができる。袋の下端に形成されているスカート２８により、埃によるコップの汚れを防止することができる。しかし、最下端の紙コップを抜き取るために手でつかむと、紙コップは弾性を有するので変形して次の紙コップへも力が伝わり、２個の紙コップが同時に抜き出されるという現象が起こりやすい。
また、紙コップに対する包装材料としてと同時に、紙コップの分配器としても使用できる紙コップ保持器として、可撓性にして引きのばし可能な薄いシート材料を材質とし、積み重ねた紙コップの山をその中に収容し、その中を自由に通過させることのできる主体及び前記スリーブの主体内に収容された紙コップの山のうちの一番下の紙コップの上縁と接合することのできる比較的細い通路を設けて紙コップの山を保持する下部を有する長いスリーブから構成され、前記一番下の紙コップを引っ張って前記の細い通路をしぼり出るように通過させると、歪によって前記の細い通路が拡がり得るようになった紙コップ保持器が提案されている（特許文献２）。図１０は、この紙コップ保持器の一例の説明図である。紙コップの山のうちの一番下の紙コップ２９を、紙コップの上縁３０の外径Ｄよりもわずかに小さい直径を有するのど部３１のところに停止させ、一番下の紙コップを手でつかんで下に引っ張ると、のど部の壁に歪が与えられて広げられ、一番下の紙コップが取り出される。しかし、一番下の紙コップを抜き取るために手でつかむと、紙コップは弾性を有するので変形して次の紙コップへも力が伝わり、２個の紙コップが同時に抜き出されるという現象が起こりやすい。
さらに、紙コップを１個ずつ確実に取り出すことができる紙コップ収納及び供給装置として、紙コップを上方から収納するようにした筒体の下方の紙コップ取り出し部が、倒立載頭円錐状の輪体を円周方向に数個に分割して取り出し片を形成し、この取り出し片の内面を多段式にすると共に、この最下端縁の断面形状を内方へ突出する三角形状に形成した紙コップの収納及び供給装置が提案されている（特許文献３）。図１１は、この装置の一例の説明図である。この装置は、紙コップを上方から収納するようにした筒体３２の下方の紙コップ取出部３３が、倒立載頭円錐状の輪体を円周方向に数個に分割して取出片を形成し、この取出片の内面を多段式にするとともに、この最下端縁の断面形状が内方へ突出する三角形状に形成されている。この紙コップ収納及び供給装置の取出部は、きわめて複雑な構造であり、装置も高価なものにならざるを得ないので、より簡便に紙コップを安定して１個ずつ取り出すことができる手段が求められている。
現在、紙コップは、６００個入り、２,５００個入りなどの箱詰めで販売され、ユーザーにおいて５０個程度ずつが小出しされ、給茶機などの近くに設置された紙コップ収納供給装置に入れられる場合が多い。この間、紙コップは外気に曝され、外部からの汚染防止の手段はとられていないが、紙コップは飲料を入れる容器なので、安全衛生面でのより一層の注意が払われることが望ましい。紙コップ収納供給装置を開いたところ、ゴキブリが飛び出してきたという事例も報告されている。このために、紙コップが外部から汚染されることがなく、衛生的に取り扱うことができる紙コップ収納及び供給手段が求められている。
【特許文献１】特開昭５２−１２３７７５号公報（第１−２頁、第２図）
【特許文献２】特開昭６２−２２０４６７号公報（第１、３頁、第４図）
【特許文献３】特開平９−７５１５４号公報（第２頁、図１）
【発明の開示】
【発明が解決しようとする課題】
【０００３】
本発明は、使い捨てコップの製造工場から使用の現場まで、使い捨てコップが外部から汚染されることがなく、衛生的に取り扱うことができ、使い捨てコップの使用の現場において、使い捨てコップを１個ずつ確実に取り出すことができる使い捨てコップ収納供給袋を提供することを目的としてなされたものである。
【課題を解決するための手段】
【０００４】
本発明者は、上記の課題を解決すべく鋭意研究を重ねた結果、使い捨てコップを多数個積層してプラスチックフィルム製の筒体に収納し、袋の下部の使い捨てコップ保持口の両側縁において、筒体を形成する２枚のフィルムを溶着して使い捨てコップ保持口の内周が使い捨てコップ収納部の内周より小さく、かつ２枚のフィルムの溶着部の筒体の内側が波線状であり、使い捨てコップ保持口に内周の狭い部分と広い部分を連続的に交互に形成することにより、取り出される最下端の使い捨てコップの次に位置する二番目の使い捨てコップに対する保持力が強まり、最下端の使い捨てコップのみを確実に１個ずつ取り出し得ることを見いだし、この知見に基づいて本発明を完成するに至った。
すなわち、本発明は、
（１）上部に使い捨てコップ収納口、中央に使い捨てコップ収納部、下部に使い捨てコップ保持口を有する両側縁が溶断されたプラスチックフィルムの筒体からなる使い捨てコップ収納供給袋であって、使い捨てコップ保持口の両側縁において筒体を形成する２枚のフィルムが溶着され、かつ使い捨てコップ保持口の両側縁の２枚のフィルムの溶着部の筒体の内側が波線状であり、使い捨てコップ保持口の内周の狭い部分と広い部分が連続的に交互に形成されてなることを特徴とする使い捨てコップ収納供給袋、
（２）使い捨てコップ保持口の長さが、収納される使い捨てコップの高さの０.１〜０.９倍である(１)記載の使い捨てコップ収納供給袋、
（３）使い捨てコップ保持口の狭い部分の内周が、収納される使い捨てコップの開口部リブの外周の−８〜＋３ｍｍの範囲にあり、使い捨てコップ保持口の広い部分の内周が、収納される使い捨てコップの開口部リブの外周の＋４〜＋１０ｍｍの範囲にある(１)記載の使い捨てコップ収納供給袋、
（４）使い捨てコップ収納部の内周が、収納される使い捨てコップの開口部リブの外周の＋４〜＋５０ｍｍの範囲にある(１)記載の使い捨てコップ収納供給袋、
（５）プラスチックフィルムが、ポリオレフィンフィルムである(１)記載の使い捨てコップ収納供給袋、
（６）使い捨てコップ保持口の下縁が封じられ、該下縁に平行な保持口開口用のミシン目を有する(１)記載の使い捨てコップ収納供給袋、
（７）使い捨てコップ保持口の下縁にガゼット折りを有する(６)記載の使い捨てコップ収納供給袋、
（８）筒体上部に、筒体に延設された舌片フィルムと、該舌片フィルムを固着する粘着剤層からなる使い捨てコップ収納口閉鎖手段を有する(１)記載の使い捨てコップ収納供給袋、
（９）筒体最上部にヘッダーを有する(１)記載の使い捨てコップ収納供給袋、
（１０）使い捨てコップ収納口が密封されてなる(１)記載の使い捨てコップ収納供給袋、及び、
（１１）プラスチックフィルムの筒体に、微細通気孔を有する(１０)記載の使い捨てコップ収納供給袋、
を提供するものである。
【発明の効果】
【０００５】
本発明の使い捨てコップ収納供給袋は、使い捨てコップを安定して確実に１個ずつ取り出すことができ、使い捨てコップが２〜３個まとまって引き出されて、始末に困る事態が生ずることがない。本発明の使い捨てコップ収納供給袋を用いることにより、使い捨てコップの製造工場で収納供給袋が封じられ、使い捨てコップの使用者が取り出すまで、使い捨てコップが外気に曝されたり、人手に触れたりすることがないので、安全衛生上の問題が生ずるおそれがない。本発明の使い捨てコップ収納供給袋は、プラスチックフィルムを原料として、折り、ミシン目加工、溶断などの工程により製造されるので、簡便かつ経済的に製造することができる。
【発明を実施するための最良の形態】
【０００６】
本発明の使い捨てコップ収納供給袋は、上部に使い捨てコップ収納口、中央に使い捨てコップ収納部、下部に使い捨てコップ保持口を有する両側縁が溶断されたプラスチックフィルムの筒体からなる使い捨てコップ収納供給袋であって、使い捨てコップ保持口の両側縁において筒体を形成する２枚のフィルムが溶着され、かつ２枚のフィルムの溶着部の筒体の内側が波線状であり、使い捨てコップ保持口の内周の狭い部分と広い部分が連続的に交互に形成されてなる使い捨てコップ収納供給袋である。
図１は、本発明の使い捨てコップ収納供給袋の一態様の斜視図である。本態様の使い捨てコップ収納供給袋は、上部に使い捨てコップ収納口１、中央に使い捨てコップ収納部２、下部に使い捨てコップ保持口３を有する両側縁が溶断されたプラスチックフィルムの筒体からなり、使い捨てコップ４が積層されて使い捨てコップ収納部に収納されている。使い捨てコップ保持口においては、両側縁において筒体を形成する２枚のフィルムが溶着されて溶着部５を形成し、使い捨てコップ保持口の内周が使い捨てコップ収納部の内周より小さく、かつ２枚のフィルムの溶着部の筒体の内側が波線６状であり、２本の波線の頂と底は互いに対向する位置にあり、使い捨てコップ保持口の内周の狭い部分と広い部分が連続的に交互に形成されている。
【０００７】
図１に示す態様の使い捨てコップ収納供給袋は、筒体最上部にヘッダー７を有し、ヘッダーには吊下孔８が設けられている。また、使い捨てコップ収納口は、舌片フィルム９が粘着剤層により袋体に固着されて閉鎖されている。使い捨てコップ収納供給袋をヘッダーに設けた吊下穴を利用して吊り下げると、最も下に位置する使い捨てコップの開口部リブが使い捨てコップ保持口の溶着部に引っかかり、使い捨てコップの底部と胴部の一部が使い捨てコップ保持口から露出した状態になる。この状態で最も下に位置する使い捨てコップをつかんで引き出すと、その使い捨てコップ１個のみが取り出され、二番目の使い捨てコップの底部と胴部の一部が使い捨てコップ保持口から露出した状態になる。この動作を繰り返すことにより、使い捨てコップ収納供給袋に収納されている使い捨てコップは、確実に１個ずつ取り出され、無駄なく使用される。最も下に位置する使い捨てコップをつかむ力が二番目の使い捨てコップに伝わり、二番目の使い捨てコップが最も下に位置する使い捨てコップとともに下降をはじめても、使い捨てコップ保持口の内周の狭い部分で繰り返して下降を阻止されるので、二番目の使い捨てコップが最も下に位置する使い捨てコップと同時に使い捨てコップ収納供給袋から取り出されることはない。
【０００８】
本発明の使い捨てコップ収納供給袋においては、両側縁に溶着部を有する使い捨てコップ保持口の長さが、収納される使い捨てコップの高さの０.１〜０.９倍であることが好ましく、０.４〜０.８倍であることがより好ましい。使い捨てコップの保持口にミシン目が設けられ、使い捨てコップ収納供給袋の使用に際してミシン目から下の部分が破り取られる場合は、使い捨てコップ保持口の上端からミシン目までの長さが、使い捨てコップ保持口の長さである。使い捨てコップ保持口の長さが使い捨てコップの高さの０.１倍未満であると、二番目の使い捨てコップの下降を阻止する作用が不足して、使い捨てコップ２個以上が同時に取り出されるおそれがある。使い捨てコップ保持口の長さが使い捨てコップの高さの０.９倍を超えると、最も下に位置する使い捨てコップの使い捨てコップ収納供給袋からの露出部分が少なくなり、使い捨てコップをつかんで取り出す動作がしにくくなるおそれがある。
本発明の使い捨てコップ収納供給袋においては、使い捨てコップ保持口の狭い部分の内周が、収納される使い捨てコップの開口部リブの外周の−８〜＋３ｍｍの範囲にあることが好ましく、−４〜０ｍｍの範囲にあることがより好ましい。使い捨てコップの開口部リブの外周から使い捨てコップ保持口の狭い部分の内周を減じた差が８ｍｍを超えると、使い捨てコップが使い捨てコップ保持口の狭い部分を通過するために必要な力が大きくなり、使い捨てコップの取り出しが困難になるおそれがある。使い捨てコップ保持口の狭い部分の内周から使い捨てコップの開口部リブの外周を減じた差が３ｍｍを超えると、二番目の使い捨てコップの下降を阻止する作用が不足して、使い捨てコップ２個以上が同時に取り出されるおそれがある。
【０００９】
本発明の使い捨てコップ収納供給袋においては、使い捨てコップ保持口の広い部分の内周が、収納される使い捨てコップの開口部リブの外周の＋４〜＋２０ｍｍの範囲にあることが好ましく、＋６〜＋１２ｍｍの範囲にあることがより好ましい。使い捨てコップの保持口の広い部分の内周から使い捨てコップの開口部リブの外周を減じた差が４ｍｍ未満であると、二番目の使い捨てコップの下降を阻止する力が繰り返して作用しなくなるおそれがある。使い捨てコップの保持口の広い部分の内周から使い捨てコップの開口部リブの外周を減じた差が２０ｍｍを超えると、最も下に位置する使い捨てコップの円滑な下降が困難になるおそれがある。
本発明の使い捨てコップ収納供給袋においては、使い捨てコップ保持口の溶着部の波線の波長が２〜１２ｍｍであることが好ましく、４〜９ｍｍであることがより好ましい。溶着部の波線の波長が２ｍｍ未満であると、使い捨てコップの開口部リブが使い捨てコップ保持口の内周の狭い部分と広い部分を交互に通過することが困難になるおそれがある。溶着部の波線の波長が１２ｍｍを超えると、使い捨てコップ保持口で内周の狭い部分と広い部分の繰り返し回数が不足するおそれがある。
【００１０】
本発明の使い捨てコップ収納供給袋においては、使い捨てコップ収納部の内周が、収納される使い捨てコップの開口部リブの外周の＋４〜＋５０ｍｍの範囲にあることが好ましく、＋１５〜＋４０ｍｍの範囲にあることがより好ましい。使い捨てコップ収納部の内周から使い捨てコップの開口部リブの外周を減じた差が４ｍｍ未満であると、使い捨てコップと使い捨てコップ収納部との摩擦が大きくなって、使い捨てコップが円滑に下方に移動しなくなるおそれがある。使い捨てコップ収納部の内周から使い捨てコップの開口部リブの外周を減じた差が５０ｍｍを超えると、使い捨てコップ収納部の中で使い捨てコップが傾いて外観が不良になるとともに、使い捨てコップが円滑に下方に移動しなくなるおそれがある。
本発明に用いるプラスチックフィルムに特に制限はなく、例えば、ポリエチレンフィルム、ポリプロピレンフィルム、エチレン−プロピレン共重合体フィルム、ポリスチレンフィルム、ポリ酢酸ビニルフィルム、ポリ塩化ビニルフィルム、ポリ塩化ビニリデンフィルム、ポリオキシメチレンフィルム、ポリエチレンテレフタレートフィルム、ポリカーボネートフィルム、ポリカプロラクタムフィルム、ポリヘキサメチレンアジパミドフィルムなどを挙げることができる。これらの中で、ポリエチレンフィルム、ポリプロピレンフィルムなどのポリオレフィンフィルムは、適度な引張弾性率と良好な熱融着性を有するので好適に用いることができ、無延伸ポリプロピレンフィルムと二軸延伸ポリプロピレンフィルムのラミネートフィルムを特に好適に用いることができる。
【００１１】
本発明の使い捨てコップ収納供給袋は、使い捨てコップ保持口の下縁が封じられ、該下縁に平行な保持口開口用のミシン目を有することが好ましい。図２は、本発明の使い捨てコップ収納供給袋の他の態様の平面図である。本図に示す使い捨てコップ収納供給袋は、折り畳まれた状態にあり、本発明の使い捨てコップ収納供給袋は、この状態で製造され、使い捨てコップが収納されるまでは、この状態で取り扱われる。図２に示す態様の使い捨てコップ収納供給袋は、使い捨てコップ保持口の下縁１０が封じられ、該下縁に平行な保持口開口用のミシン目１１を有する。工場で製造された使い捨てコップは、使い捨てコップ収納口１から使い捨てコップ収納供給袋に入れられて、積層された状態で使い捨てコップ収納部２に収納され、収納口が閉鎖されて使い捨てコップ包装体となる。使い捨てコップ包装体は、この状態で保管、出荷、輸送、販売され、使い捨てコップの使用が開始されるときに、ミシン目が破られて使い捨てコップ保持口が開口される。したがつて、使い捨てコップは、製造されたのち使用されるまで外部から遮断され、人手に直接触れることもないので、安全衛生面できわめて優れている。
【００１２】
図２に示す態様の使い捨てコップ収納供給袋において、使い捨てコップ保持口３は、プラスチックフィルムの筒体の両側縁において２枚のフィルムが溶着されることにより形成されている。両側縁の溶着部５は、筒体の内側が波線６状であり、２本の波線の頂と底は互いに対向する位置にあり、使い捨てコップ保持口の内周の狭い部分と広い部分が連続的に交互に形成されている。本図に示す使い捨てコップ収納供給袋においては、ミシン目より下方の両側縁の２枚のフィルムも溶着されているが、この部分は使い捨てコップ包装体の使用を開始するときに破り取られるので、ミシン目より下方の溶着は必要ではない。ただし、ミシン目より下方に溶着部がない構造よりも、使い捨てコップ保持口からミシン目を越えて下縁まで２枚のフィルムを溶着する構造の方が製造が容易であり、ミシン目の上方と下方がともに２枚のフィルムが溶着されている構造の方がミシン目の破断が容易である。
本発明の使い捨てコップ収納供給袋は、使い捨てコップ保持口の下縁にガゼット折りを有することが好ましい。図３は、本発明の使い捨てコップ収納供給袋の他の態様の使い捨てコップ保持口の形状を示す部分平面図及びＡ−Ａ線切断部端面図である。本態様の使い捨てコップ収納供給袋は、使い捨てコップ保持口の下縁１０にガゼット折り１２を有する。ガゼット折りの深さは、ガゼット折りを開いて形成される平面の幅が、収納される使い捨てコップの底部の直径よりわずかに大きいことが好ましい。使い捨てコップ保持口の下縁にガゼット折りを設けることにより、使い捨てコップ収納供給袋に使い捨てコップを収納したとき、ガゼット折りが開いて形成される平面に、最も下に位置する使い捨てコップの底部が収まり、外観と安定性の良好な使い捨てコップ包装体を得ることができる。ミシン目１１を破って使い捨てコップの使用を開始するとき、ガゼット折りの部分は破り取られて廃棄される。
【００１３】
本発明の使い捨てコップ収納供給袋は、袋体上部に、使い捨てコップ収納口閉鎖手段を設けることが好ましい。使い捨てコップ収納口閉鎖手段を設け、使い捨てコップを収納したのちに使い捨てコップ収納口を閉鎖することにより、使い捨てコップ包装体の内部を外部から遮断し、外部からの汚染や小動物の侵入などを防ぐことができる。使い捨てコップ収納口閉鎖手段に特に制限はなく、例えば、熱シール部、超音波シール部、舌片フィルムと粘着剤層の組み合わせなどを挙げることができる。使い捨てコップ収納供給袋には厳密な密封性は要求されないので、現場における作業性の良好な舌片フィルムと粘着剤層の組み合わせを好適に用いることができる。図４は、本発明の使い捨てコップ収納供給袋の他の態様の平面図及びＢ−Ｂ線切断部端面図である。本態様の使い捨てコップ収納供給袋は、袋体に延設された舌片フィルム９を有し、舌片フィルムに粘着剤層１３が設けられ、剥離フィルム１４で覆われている。使い捨てコップ収納供給袋に使い捨てコップを収納したのち、剥離フィルムを剥がして舌片フィルムを筒体のフィルムに粘着剤層で固着させることにより、使い捨てコップ収納口を閉鎖することができる。粘着剤層を筒体のプラスチックフィルムに設けて、舌片フィルムを固着させることもできる。
本発明の使い捨てコップ収納供給袋は、袋体最上部にヘッダーを有することが好ましい。図４に示す態様においては、袋体最上部においてヘッダーシート１５にプラスチックフィルムが巻き回され、融着線１６においてヘッダーシートとプラスチックフィルムとが融着されている。ヘッダーには、吊下穴８を設けることが好ましい。袋体最上部にヘッダーを設けることにより、使い捨てコップを収納した使い捨てコップ包装体を、ヘッダーを把持して取り扱うことができるので、取り扱いが容易になる。また、ヘッダーに吊下穴を設け、吊下穴を吊下治具に通して使い捨てコップ包装体を吊り下げ、ミシン目を破って使い捨てコップ保持口を開口することにより、使い捨てコップ保持口から使い捨てコップを１個ずつ下方に引き下ろして取り出すことができる。
【００１４】
図５は、本発明の使い捨てコップ収納供給袋の溶着部の波線形状の６態様の説明図である。本発明において、溶着部の波線形状に特に制限はなく、例えば、正弦波形状、筒体の内側に凸の円弧の繰り返し、筒体の内側に凹の円弧の繰り返し、三角形の繰り返し、四角形の繰り返し、円弧と三角形の交互の繰り返しなどを挙げることができる。
本発明の使い捨てコップ収納供給袋の製造方法に特に制限はなく、例えば、長尺のチューブ状のプラスチックフィルムの片側にガゼット折りを形成し、他の側を切り開いてヘッダーシートを融着するとともに舌片フィルム部分を形成し、剥離フィルムで覆われた長尺の粘着剤層を貼着し、ガゼット折りが形成された縁部に筒体の幅ごとに２枚のフィルムを溶着して溶着部を形成し、袋体の幅ごとに溶断してサイドシールすることにより、製造することができる。
【００１５】
本発明の使い捨てコップ収納供給袋は、上部の使い捨てコップ収納口を密閉することができる。使い捨てコップ収納口密閉手段に特に制限はなく、例えば、筒体に延設された舌片フィルムを広面積に固着する粘着剤層を設けることができ、あるいは、使い捨てコップ収納口の近傍に、収納口をヒートシールする熱溶着スベースを設けることができる。使い捨てコップ収納口を密閉することにより、使い捨てコップ保持口より使い捨てコップ１個を取り出したとき筒体の内部が減圧になり、残りの使い捨てコップがプラスチックフィルムの筒体によって真空パックのように押さえられるので、より確実に使い捨てコップ１個のみを取り出すことができる。
本発明の使い捨てコップ収納供給袋においては、プラスチックフィルムの筒体に微細通気孔を設けることができる。使い捨てコップ収納口を密閉すると、使い捨てコップを取り出しつづけたとき、内部の減圧度が高まり、ついには使い捨てコップ保持口より使い捨てコップを取り出すことが困難となるおそれがある。プラスチックフィルムの筒体に微細通気孔を設けることにより、微細通気孔から空気が筒体内に少しずつ入り込み、筒体の内部が高真空になることを防ぎ、安定して使い捨てコップを取り出すことができる。プラスチックフィルムの筒体に微細孔を開ける方法に特に制限はなく、例えば、針先で突くことによりピンホールを開けることができ、あるいは、ナイフの刃先で切ることにより微細スリットを開けることもできる。
図６は、本発明の使い捨てコップ収納供給袋の他の態様の平面図である。本態様においては、舌片フィルム９の全面に粘着剤層が設けられ、舌片フィルムにより使い捨てコップ収納口が密閉されている。また、針先で開けられたピンホール３４と、ナイフの刃先で開けられた微細スリット３５が設けられている。
【００１６】
本発明の使い捨てコップ収納供給袋の製造に用いるプラスチックフィルムには、必要に応じて、グラビヤ印刷やドライラミネーションなどを施すことができる。本発明の使い捨てコップ収納供給袋は、図２、図４などに示されるような折り畳まれた状態の製品として製造され、従来の使い捨てコップ収納供給装置と異なり、使い捨てコップが収納されるまでは平らな状態で取り扱うことができるので、必要とするスペースが少なく、経済的に保管及び輸送を行うことができる。
紙コップには、日本工業規格のような厳密な規格はないが、現在製造販売されている紙コップは、高さ５９ｍｍ、容量９０ｍＬの３オンス型、高さ７３ｍｍ、容量１５０ｍＬの５オンス型、高さ７９ｍｍ、容量２０５ｍＬの７オンス型、高さ９２ｍｍ、容量２７５ｍＬの９オンス型などのように標準化されていて、容量が同じであれば紙コップの開口部リブの外周はほぼ等しいので、本発明の紙コップ収納供給袋は、収納する紙コップの容量に対応する数種類を製造することにより、各種の紙コップに適合することができる。
【実施例】
【００１７】
以下に、実施例を挙げて本発明をさらに詳細に説明するが、本発明はこれらの実施例によりなんら限定されるものではない。
実施例１
無延伸ポリプロピレンフィルムと二軸延伸ポリプロピレンフィルムをラミネートした厚さ３０μｍのラミネートフィルムを用いて、図４に示す構造の紙コップ収納供給袋を作製した。袋の寸法は、紙コップ収納部の両側縁間の距離１０４ｍｍ、すなわち紙コップ収納部の内周２０８ｍｍ、紙コップ収納部の長さ２１５ｍｍ、紙コップ保持口の上端からミシン目までの距離４８ｍｍ、ミシン目から下縁までの距離２４ｍｍとした。また、紙コップ保持口の下縁に深さ２０ｍｍのガゼット折りを設けた。
紙コップ保持口の上端から下縁までの両側縁に、最小幅５ｍｍ、最大幅７ｍｍ、波長６ｍｍの筒体の内側が波線状である溶着部を形成した。したがって、紙コップ保持口の狭い部分の内周は１８０ｍｍであり、広い部分の内周は１８８ｍｍである。
筒体の最上部には、厚さ５０μｍ、幅４０ｍｍのポリプロピレン合成紙をフィルムで巻き込んで融着してヘッダーを形成し、ヘッダーに直径８ｍｍの吊下穴を開けた。また、ラミネートフィルムを長さ３０ｍｍ延設して舌片フィルムを形成し、舌片フィルムに、ポリエチレン剥離フィルムで覆われた幅１０ｍｍの粘着剤層を設けた。筒体の幅ごとに、溶断によりサイドシールして、紙コップ収納供給袋を完成した。
この紙コップ収納供給袋５個に、開口部リブの外径５７.５ｍｍ、容量９０ｍＬの３オンス型紙コップ２０個ずつを収納し、ポリエチレン剥離フィルムを剥がして舌片フィルムの粘着剤層を筒体のフィルムに固着し、紙コップ包装体５個を完成した。紙コップ保持口の下縁のガゼット折りが開き、紙コップの底部が収まって安定した形状となり、紙コップ包装体は机上に自立した。
吊下穴を吊下治具に通して紙コップ包装体を吊り下げ、ミシン目を破って紙コップ保持口を開口した。５個の紙コップ包装体から、年齢１０歳から７２歳までの男女５名で、交互に紙コップを取り出した。合計１００個の紙コップは、すべて１個ずつ取り出され、２個以上の紙コップが同時に出てくることはなかった。
【産業上の利用可能性】
【００１８】
本発明の使い捨てコップ収納供給袋は、プラスチックフィルムを原料として、折り、ミシン目加工、溶断などの工程により製造されるので、簡便かつ経済的に製造することができる。本発明の使い捨てコップ収納供給袋は、使い捨てコップの製造工場で使い捨てコップが収納されて封じられ、使い捨てコップの使用者が取り出すまで、使い捨てコップが外気に曝されたり、人手に触れたりすることがないので、安全衛生上の問題が生ずるおそれがない。本発明の使い捨てコップ収納供給袋からは、使い捨てコップを安定して１個ずつ取り出すことができ、使い捨てコップが２〜３個まとまって引き出されて、始末に困る事態が生ずることがない。
【図面の簡単な説明】
【００１９】
【図１】本発明の使い捨てコップ収納供給袋の一態様の斜視図である。
【図２】本発明の使い捨てコップ収納供給袋の他の態様の平面図である。
【図３】本発明の使い捨てコップ収納供給袋の他の態様の部分平面図及び切断部端面図である。
【図４】本発明の使い捨てコップ収納供給袋の他の態様の平面図及び切断部端面図である。
【図５】本発明の使い捨てコップ収納供給袋の溶着部の波線形状の６態様の説明図である。
【図６】本発明の使い捨てコップ収納供給袋の他の態様の平面図である。
【図７】紙コップの一例の一部切り欠き斜視図である。
【図８】紙コップ収納供給装置の保持口の一例の断面図である。
【図９】従来の紙コップ取り出し方法の一例の説明図である。
【図１０】従来の紙コップ保持器の一例の説明図である。
【図１１】従来の紙コップ収納供給装置の一例の説明図である。
【符号の説明】
【００２０】
１  使い捨てコップ収納口
２  使い捨てコップ収納部
３  使い捨てコップ保持口
４  使い捨てコップ
５  溶着部
６  波線
７  ヘッダー
８  吊下孔
９  舌片フィルム
１０  下縁
１１  ミシン目
１２  ガゼット折り
１３  粘着剤層
１４  剥離フィルム
１５  ヘッダーシート
１６  融着線
１７  サイドシール
１８  胴材
１９  底材
２０  開口部リブ
２１  底縁
２２  紙コップ
２３  筒体
２４  止めリング
２５  袋
２６  部分接着部
２７  最大外径部分
２８  スカート
２９  紙コップ
３０  上縁
３１  のど部
３２  筒体
３３  紙コップ取出部
３４  ピンホール
３５  微細スリット
【図１】
0004694916.tif 000002
【図２】
0004694916.tif 000003
【図３】
0004694916.tif 000004
【図４】
0004694916.tif 000005
【図５】
0004694916.tif 000006
【図６】
0004694916.tif 000007
【図７】
0004694916.tif 000008
【図８】
0004694916.tif 000009
【図９】
0004694916.tif 000010
【図１０】
0004694916.tif 000011
【図１１】
0004694916.tif 000012